(57)【特許請求の範囲】
【請求項１】
少なくとも底面中央に開口部を有するフレームと、周縁部が上記フレームの開口部に装着されたダンパーと、上記フレームの上端に周端部が結合された振動板と、上記ダンパーの略中央にこのダンパーと上記振動板に挟持されたウェイトとで構成されるパッシブラジエータ。
【請求項２】
振動板の略中央にダストキャップ部を一体に設けた請求項１記載のパッシブラジエータ。
【請求項３】
振動板の略中央またはダストキャップ部の略中央に孔部を設けるとともに、ウェイトおよびダンパーの上記孔部に対応する位置にも夫々孔部を設け、この夫々の孔部に挿入される結合手段で振動板、ウェイトおよびダンパーを一体化する請求項１または２記載のパッシブラジエータ。
【請求項４】
少なくともダンパーの略中央下面にフレームの下端と略同一高さの突起部を設けた請求項１記載のパッシブラジエータ。
【請求項５】
少なくともウェイトの略中央下面にフレームの下端と略同一高さの突起部をダンパーより突出させた請求項１記載のパッシブラジエータ。
【請求項６】
少なくとも結合手段の脚部の高さをフレームの下端と略同一高さとした請求項３記載のパッシブラジエータ。
【発明の詳細な説明】
【０００１】
【発明の属する技術分野】
本発明は各種音響機器のスピーカシステムに用いられるパッシブラジエータに関するものである。
【０００２】
【従来の技術】
従来の技術を図８〜図１０により説明する。まず、同図８はケルトン方式と称されるスピーカシステムの側断面図であり、エンクロージャーＡ内に配置されたドライバーＢと外部に面したパッシブラジエータＣから構成され、ドライバーＢによりパッシブラジエータＣを駆動させて重低音を増強再生するものである。図９はこのパッシブラジエータＣの側面図であり、図１０はこのパッシブラジエータＣの概念を示す構造側断面図である。
【０００３】
同図により、パッシブラジエータＣの構成について説明する。１はフレームであり、上端周縁１ｂには周縁部である振動板２のエッジ部３を接着結合するとともに、この振動板２の内周縁部はボビン４に接着結合している。また、ボビン４の中間部は上記フレーム１の底面内周部１ａに接着結合されたダンパー５にクランプ支持されている。６はボビン４の上端に結合されたウェイトであり、７は上記振動板２の上面中心部に接着されたダストキャップである。なお、１ｃは上記フレーム１の底面全周から下方に突出し、ダンパー５を保護する下端部である。
【０００４】
【発明が解決しようとする課題】
しかしながら従来のこの種のパッシブラジエータは、部品点数が多いため部品材料費が多くかかり、生産工数も多くかかってしまうため、なかなか低コスト化を図ることができなかった。
【０００５】
また、振動系の質量について、かなり重いものを要求されるものがあり、この対応としてウェイト６を重く設計すると、ウェイト６がボビン４からはずれてしまったり、これが原因でダストキャップ７が振動板２からはずれてしまったり、振動系の振幅が大きくなることによりボビン４とダンパー５が接着はずれを発生してしまう可能性があった。
【０００６】
本発明はこのような従来の問題点を解消し、部品点数及び生産工数を削減し、低コスト化を図るパッシブラジエータを提供することを目的とするものである。
【０００７】
【課題を解決するための手段】
上記課題を解決するために本発明のパッシブラジエータは、底面中央に開口部を有するフレームと、周縁部が上記フレームの開口部に装着されたダンパーと、上記フレームの上端に周端部が結合された振動板と、上記ダンパーの略中央にこのダンパーと上記振動板に挟持されたウェイトとで構成したものである。
【０００８】
上記のように、ウェイトを振動板とダンパーで挟持する構成としたので、ボビンを削除するとともに、極めて容易に組立てが行える、ウェイトと振動板とダンパーの一体化により品質の向上も図れるものである。
【０００９】
【発明の実施の形態】
本発明の請求項１に記載の発明は、底面中央に開口部を有するフレームと、周縁部が上記フレームの開口部に装着されたダンパーと、上記フレームの上端に周端部が結合された振動板と、上記ダンパーの略中央にこのダンパーと上記振動板に挟持されたウェイトとで構成したので、部品点数の削減と、極めて簡単な組立てで品質の安定したものを提供可能とするものである。
【００１０】
請求項２に記載の発明は、請求項１の振動板の略中央にダストキャップを一体に設けた構成としたため、部品点数の削減と組立工数の削減を図れるものである。
【００１１】
請求項３に記載の発明は、請求項１または２の構成に加えて、振動板の略中央またはダストキャップの略中央に孔部を設けるとともに、ウェイトおよびダンパーの上記孔部に対応する位置にも夫々孔部を設け、この夫々の孔部に挿入される結合手段で振動板、ウェイトおよびダンパーを一体化したものであり、３部品の結合の信頼性の向上を図るものである。
【００１２】
請求項４に記載の発明は、請求項１の構成のダンパーの略中央下面にフレームの下端と略同一高さの突起部を設けたものであり、組立時にウェイトの自重によって発生するダンパーの変形の防止を形状に応じた組立用下型の作製なしに行え、専用治具化によるコストアップや管理コストのアップを防止するものである。
【００１３】
請求項５に記載の発明は、請求項１の構成のウェイトの略中央下面にフレームの下端と略同一高さの突起部をダンパーより突出させたものであり、請求項４と同様の効果を得るものであるが、ウェイトの自重をウェイトに設けた突出部で支えるものであるため、ダンパーに何等の影響も与えないものである。
【００１４】
請求項６に記載の発明は、請求項３の構成の結合手段の脚部の高さをフレームの下端と略同一高さとしたものであり、ウェイトの重量を結合手段で支持して組立時のダンパーの変形防止を行うとともに、振動板、ウェイトおよびダンパーを機械的に一体化して上記３部品の結合の信頼性の向上を図るものである。
【００１５】
以下、本発明の実施の形態について図１〜図７により説明する。
【００１６】
（実施の形態１）
図１は本発明のパッシブラジエータの一実施の形態の側断面図である。同図によると、１１は底面に開口部１１ａを有するフレームであり、１５はこの開口部１１ａに周縁部を接着結合してなるダンパーであり、中央にはウェイト１６を載置するための平坦部１５ａを有している。
【００１７】
１２は上記フレーム１１の上端に周端のエッジ部１３を介して接着結合するとともに、上記ウェイト１６をダンパー１５とで接着挟持する振動板である。
【００１８】
１２ａは上記ウェイト１６を上記ダンパー１５とで直接接着挟持するダストキャップ部であり、振動板１２と一体に設けたものである。
【００１９】
以上のように本実施の形態においてはウェイト１６を挟持して接着するように構成したので、ボビンを削除できるとともに、従来の突き合せてのボビンの支持に比較して、装着の信頼性の向上が図れるものである。
【００２０】
また、フレーム１１、ダンパー１５、ウェイト１６、振動板１２を下から順に積み上げて組立てできるので、接着などの結合工程も含め、自動組立化にも適した構成となっている。
【００２１】
なお、本実施の形態においてはダストキャップ部１２ａを振動板１２に一体に設けたが、外観上問題がなければダストキャップ部１２ａを特に設けず、振動板１２自体とダンパー１５とでウェイト１６を挟持しても良いものである。
【００２２】
（実施の形態２）
図２は本発明のパッシブラジエータの他の実施の形態の側断面図であり、同図によると１５ｃはダンパー１５ｂに、１６ｂはウェイト１６ａに、１２ｄは振動板１２ｂのダストキャップ部１２ｃに夫々設けられた貫通孔であり、貫通孔１２ｄは貫通孔１５ｃ、貫通孔１６ｂに夫々対応して設けられている。
【００２３】
１７はリベットであり、上記貫通孔１２ｄ，１５ｃ，１６ｂに挿入され、かしめられて振動板１２ｂ、ウェイト１６ａ、ダンパー１５ｂを機械的に結合するものであり、実施の形態１における接着剤による結合より結合の強度を向上し、信頼性の向上を図るものである。
【００２４】
なお、本実施の形態においては、振動板１２ｂ、ウェイト１６ａ、ダンパー１５ｂの結合手段としてリベット１７を用いたが、ボルト、ナット、割りピン等によって行うことも可能である。
【００２５】
（実施の形態３）
本実施の形態は図１の実施の形態１の更なる改良を施したものであり、図３は本実施の形態に至る課題を説明するためのパッシブラジエータ製作途中の側断面図、図４は同組立時の状態を説明するためのパッシブラジエータの側断面図、図５は本一実施の形態の側断面図である。
【００２６】
図３、図４により実施の形態１の組立てについて説明すると、先ず図３に示すようにフレーム１１にダンパー１５を結合する。
【００２７】
次にダンパー１５の上にウェイト１６を接着結合する。ところがウェイト１６の重量が重いために、ダンパー１５の上にウェイト１６を乗せるとダンパー１５がウェイト１６の重量により図３のように下方に下がる形状に変形してしまい次工程に移れなかった。そのため図４に示すようにフレーム１１とダンパー１５の下に組立専用治具１８を用いて生産する必要があった。
【００２８】
図５は上記の課題をも解決するものであり、実施の形態１のパッシブラジエータとの相違点のみ説明すると、１５ｅはダンパー１５ｄの下端の略中央に下方に突出して設けられた突起部であり、フレーム１１の下端にあるダンパー保護部１１ｂと略同一の高さ面となるように設定されている。
【００２９】
以上の構成によって、平板上に置いた時、ウェイト１６の重量によって変形することはないので、組立時パッシブラジエータの口径等に合せて準備されていた組立専用治具１８を不要として、この組立専用治具１８の作製コストや管理コストの低減、組立作業の容易化を図るものである。
【００３０】
（実施の形態４）
図６は実施の形態３と同様の効果を有する他の実施の形態の側断面図であり、実施の形態１との相違点のみ説明すると、１５ｆはダンパーであり、１６ｃはウェイトであり、下方にはダンパー１５ｆの孔部１５ｇから突出する突起部１６ｄを有しており、この突起部１６ｄはフレーム１１の下端にあるダンパー保護部１１ｂと略同一の高さになるように設定してある。
【００３１】
以上の構成によって、組立時パッシブラジエータの口径等に合せて準備していた実施の形態３で述べた組立専用治具１８（図４参照）を不要として、この組立専用治具１８の作製コストや管理コストの低減、組立作業の容易化を図るとともに、一般的に硬度の高いウェイト１６ｃに突起部１６ｄを設けたものであるため、直接的な外力に対して損傷することはなく、取扱いを容易とするものである。
【００３２】
（実施の形態５）
図７は実施の形態３と同様の効果を有する他の実施の形態の側断面図であり、実施の形態２との相違点のみ説明すると、１７ａはリベットであり、フレーム１１の下端のダンパー保護部１１ｂと略同一高さの脚部１７ｂを設けたものである。
【００３３】
即ち、結合手段であるリベット１７ａによって、振動板１２ｂ、ウェイト１６ａ、ダンパー１５ｂは物理的に強固に結合できるとともに、その結合手段の脚部１７ｂによって、組立時パッシブラジエータの底部口径等に合せて準備していた組立専用治具を不要として、この組立専用治具の作製コストや管理コストの低減、組立作業の容易化を図り、且つ、直接的な外力に対しても損傷することのない極めて有用なパッシブラジエータとして提供できるものである。
【００３４】
【発明の効果】
以上のように本発明のパッシブラジエータは、ウェイトを振動板とダンパーで挟持する構成としたので、部品点数の削減を図れるとともに、組立てが容易に行え、ウェイトと振動板とダンパーの一体化の品質の向上も図れるものである。
【図面の簡単な説明】
【図１】  本発明のパッシブラジエータの一実施の形態の概念を示す側断面図
【図２】  同他の実施の形態の概念を示す側断面図
【図３】  同組立途上の側断面図
【図４】  同組立専用治具を用いた組立途上の側断面図
【図５】  同他の実施の形態の概念を示す側断面図
【図６】  同他の実施の形態の概念を示す側断面図
【図７】  同他の実施の形態の概念を示す側断面図
【図８】  従来のパッシブラジエータを用いたスピーカシステムの側断面図
【図９】  同パッシブラジエータの側面図
【図１０】  同概念を示す側断面図
【符号の説明】
１１  フレーム
１１ａ  開口部
１１ｂ  ダンパー保護部
１２  振動板
１２ａ  ダストキャップ部
１２ｄ  貫通孔
１５，１５ｂ，１５ｄ  ダンパー
１５ｃ  貫通孔
１５ｅ  突起部
１６，１６ａ，１６ｃ  ウェイト
１６ｂ  貫通孔
１６ｄ  突起部
１７，１７ａ  リベット
１７ｂ  脚部
【図１】
0003646398.tif 000002
【図２】
0003646398.tif 000003
【図３】
0003646398.tif 000004
【図４】
0003646398.tif 000005
【図５】
0003646398.tif 000006
【図６】
0003646398.tif 000007
【図７】
0003646398.tif 000008
【図８】
0003646398.tif 000009
【図９】
0003646398.tif 000010
【図１０】
0003646398.tif 000011